(57)【要約】【課題】照明子機を設ける際における配線本数の増加の抑制を可能とする照明システム、及びこれに用いられる照明装置を提供する。【解決手段】複数の照明装置１００の各々は、光源１と点灯回路２と環境検知部７と制御部４と送信部５と受信部６とを有する。点灯回路２は、交流電源４００から交流電圧が入力されて光源１を点灯させる。環境検知部７は、周囲の環境情報を検知する。制御部４は、点灯回路２を制御することで光源１の点灯状態を制御する。送信部５は、光源１の点灯状態を表す状態信号を他の照明装置１００に送信する。受信部６は他の照明装置１００から状態信号を受信する。そして、送信部５は、交流電源４００からの交流電圧の導通角を制御して状態信号を生成し、一対の信号線３３１，３３２間に状態信号を送信する。【選択図】図１
2017091843.tif 000002
【特許請求の範囲】
【請求項１】
一対の信号線を介して通信する複数の照明装置を備える照明システムであって、
前記複数の照明装置の各々は、
光源と、
電源電圧として交流電源から交流電圧が入力されて前記光源を点灯させる点灯回路と、
周囲の環境情報を検知する環境検知部と、
前記点灯回路を制御することで前記光源の点灯状態を制御する制御部と、
前記光源の点灯状態を表す状態信号を、前記一対の信号線を介して前記複数の照明装置のうち自装置とは異なる照明装置に送信する送信部と、
前記一対の信号線を介して前記複数の照明装置のうち自装置とは異なる照明装置から送信された状態信号を受信する受信部とを有し、
前記制御部は、前記環境検知部の検知結果、及び前記受信部が受信した前記状態信号に基づいて前記点灯回路を制御し、
前記送信部は、前記交流電源からの交流電圧の導通角を制御して前記状態信号を生成し、前記一対の信号線間に前記状態信号を送信する
ことを特徴とする照明システム。
【請求項２】
前記複数の照明装置として第１照明装置と第２照明装置とを備え、
前記第１照明装置の前記制御部は、前記光源の点灯状態を、調光レベルが定格である定格状態と、前記定格状態よりも調光レベルが低い調光状態とに制御可能であり、
前記第２照明装置の前記制御部は、
前記第１照明装置の前記光源の点灯状態が前記定格状態である場合、前記第２照明装置の前記光源の点灯状態が前記定格状態となるように前記点灯回路を制御し、
前記第１照明装置の前記光源の点灯状態が前記調光状態である場合、前記環境検知部の検知結果に基づいて前記点灯回路を制御する
ことを特徴とする請求項１記載の照明システム。
【請求項３】
前記第２照明装置は、第１状態と第２状態とに切替可能なスイッチをさらに有し、
前記第２照明装置の前記制御部は、
前記スイッチが前記第１状態、かつ前記第１照明装置の前記光源の点灯状態が前記定格状態である場合、前記第２照明装置の前記光源の点灯状態が前記定格状態となるように前記点灯回路を制御し、
前記スイッチが前記第１状態、かつ前記第１照明装置の前記光源の点灯状態が前記調光状態である場合、前記環境検知部の検知結果に基づいて前記点灯回路を制御し、
前記スイッチが前記第２状態、かつ前記第１照明装置の前記光源が点灯している場合、前記第２照明装置の前記光源の点灯状態が前記定格状態となるように前記点灯回路を制御する
ことを特徴とする請求項２記載の照明システム。
【請求項４】
前記環境検知部は、前記環境情報として検知範囲内における人の存在を検知する人感センサを含む
ことを特徴とする請求項１〜３のいずれか１項に記載の照明システム。
【請求項５】
前記環境検知部は、前記環境情報として周囲の明るさを検知する明るさセンサを含む
ことを特徴とする請求項１〜４のいずれか１項に記載の照明システム。
【請求項６】
前記一対の信号線に電気的に接続される照明子機をさらに備え、
前記照明子機は、前記一対の信号線を介して入力される交流電圧の導通角に応じた電力を光源に供給して点灯させる
ことを特徴とする請求項１〜５のいずれか１項に記載の照明システム。
【請求項７】
請求項１〜６のいずれか１項に記載の照明システムに用いられる
ことを特徴とする照明装置。
【発明の詳細な説明】
【技術分野】
【０００１】
本発明は、照明システム、及びこれに用いられる照明装置に関する。
【背景技術】
【０００２】
従来、親器、子器を含む複数の照明器具（照明装置）を連動点灯させる連動型照明器具システム（照明システム）がある（例えば特許文献１参照）。特許文献１に記載の構成では、２台の親器と１台の子器とを備えており、照度センサ（環境検知部）で所定の周囲照度を検出すると照明用ＬＥＤを常夜点灯させ、人感センサ（環境検知部）で人体を検出すると照明用ＬＥＤを通常点灯させる。また、一方の親器の照明用ＬＥＤが通常点灯状態になると、一方の親器の情報が他方の親器と子器とに伝達され、他方の親器及び子器の照明用ＬＥＤが通常点灯する。
【先行技術文献】
【特許文献】
【０００３】
【特許文献１】特開２０１３−２４６９８２号公報
【発明の概要】
【発明が解決しようとする課題】
【０００４】
しかし、特許文献１に記載の構成では、情報伝達用の信号線を介して複数の照明装置間で情報の伝達を行っている。したがって、子器（照明子機）には、情報伝達用の信号線と電源供給用の電線とを接続する必要があり、配線の本数が多くなっていた。
【０００５】
本発明は、上記事由に鑑みてなされており、その目的は、照明子機を設ける際における配線本数の増加の抑制を可能とする照明システム、及びこれに用いられる照明装置を提供することにある。
【課題を解決するための手段】
【０００６】
本発明の照明システムは、一対の信号線を介して通信する複数の照明装置を備える照明システムであって、前記複数の照明装置の各々は、光源と、電源電圧として交流電源から交流電圧が入力されて前記光源を点灯させる点灯回路と、周囲の環境情報を検知する環境検知部と、前記点灯回路を制御することで前記光源の点灯状態を制御する制御部と、前記光源の点灯状態を表す状態信号を、前記一対の信号線を介して前記複数の照明装置のうち自装置とは異なる照明装置に送信する送信部と、前記一対の信号線を介して前記複数の照明装置のうち自装置とは異なる照明装置から送信された状態信号を受信する受信部とを有し、前記制御部は、前記環境検知部の検知結果、及び前記受信部が受信した前記状態信号に基づいて前記点灯回路を制御し、前記送信部は、前記交流電源からの交流電圧の導通角を制御して前記状態信号を生成し、前記一対の信号線間に前記状態信号を送信することを特徴とする。
【０００７】
本発明の照明装置は、上記の照明システムに用いられることを特徴とする。
【発明の効果】
【０００８】
本発明では、照明子機を設ける際における配線本数の増加の抑制を可能とするという効果がある。
【図面の簡単な説明】
【０００９】
【図１】実施形態の照明システムの回路図である。
【図２】実施形態の照明システムの一使用形態における全体構成を示す概略図である。
【発明を実施するための形態】
【００１０】
以下、本発明の実施の形態を図面に基づいて説明する。
【００１１】
（実施形態）
本実施形態の照明システム１０の回路図を図１、照明システム１０の一使用形態における全体構成の概略図を図２に示す。
【００１２】
＜概要＞
まず、本実施形態の照明システム１０の概要について説明する。本実施形態の照明システム１０は、一対の信号線３３１，３３２を介して通信する複数の照明装置１００を備える。複数の照明装置１００の各々は、光源１と点灯回路２と環境検知部７と制御部４と送信部５と受信部６とを有する。点灯回路２は、電源電圧として交流電源４００から交流電圧が入力されて光源１を点灯させる。環境検知部７は、周囲の環境情報を検知する。制御部４は、点灯回路２を制御することで光源１の点灯状態を制御する。送信部５は、光源１の点灯状態を表す状態信号を、一対の信号線３３１，３３２を介して複数の照明装置１００のうち自装置とは異なる照明装置１００に送信する。受信部６は、一対の信号線３３１，３３２を介して複数の照明装置１００のうち自装置とは異なる照明装置１００から送信された状態信号を受信する。そして、制御部４は、環境検知部７の検知結果、及び受信部６が受信した状態信号に基づいて点灯回路２を制御する。送信部５は、交流電源４００からの交流電圧の導通角を制御して状態信号を生成し、一対の信号線３３１，３３２間に状態信号を送信する。
【００１３】
複数の照明装置１００は、一対の信号線３３１，３３２を介して、光源１の点灯状態を表す状態信号の送受信を行う。状態信号は、一対の信号線３３１，３３２間に入力される交流電圧を信号媒体とし、状態信号のデータである光源１の点灯状態は、交流電圧の導通角で表される。したがって、この一対の信号線３３１，３３２に照明子機２００を接続して光源２０１を点灯させることができるので、照明子機２００を設ける際における配線本数の増加の抑制が可能となる。
【００１４】
＜照明システムの構成例＞
以下に、本実施形態の照明システム１０の構成について説明する。
【００１５】
図２に示すように、本実施形態の照明システム１０は、親機である２台の照明装置１００と、子機である１台の照明子機２００とを備えており、戸建住宅５００に設けられている。２台の照明装置１００を区別して説明する場合、第１照明装置１００Ａ、第２照明装置１００Ｂという。第１照明装置１００Ａと第２照明装置１００Ｂとは、互いに同一の構成であり、それぞれの構成を区別して説明する場合は、第１照明装置１００Ａの構成には符号の末尾に“Ａ”を付し、第２照明装置１００Ｂの構成には符号の末尾に“Ｂ”を付す。
【００１６】
第１照明装置１００Ａは、玄関扉５０１の外側である外玄関５０２（玄関ポーチ）の軒下に設けられている。第２照明装置１００Ｂは、玄関扉５０１の内側である内玄関５０３（たたき、土間）の天井に設けられている。照明子機２００は、例えば通路を照らすアプローチライトとして屋外に設けられている。なお、照明装置１００、照明子機２００の設置場所、用途は上記に限らない。
【００１７】
＜照明装置の構成例＞
まず、照明装置１００の構成について説明する。本実施形態の照明装置１００は、光源１、点灯回路２、制御電源回路３、制御部４、送信部５、受信部６、環境検知部７、モード切替部８、一対の電源端子１１１，１１２、及び一対の信号端子１３１，１３２を備えている。
【００１８】
光源１は、複数個のＬＥＤ（Light Emitting Diode）が直列接続、並列接続、あるいは直列接続と並列接続とが組み合わされた直並列接続されることで構成されている。
【００１９】
一対の電源端子１１１，１１２は、一対の電線３１１，３１２を介して外部電源である商用の交流電源４００に電気的に接続されている。照明装置１００は、電源端子１１１と電気的に接続されている送り端子１２１と、電源端子１１２と電気的に接続されている送り端子１２２とを備えている。第１照明装置１００Ａと第２照明装置１００Ｂとは、それぞれの送り端子１２１，１２２に接続された一対の送り配線３２１，３２２を介して電気的に接続されている。したがって、第１照明装置１００Ａは、一対の電線３１１，３１２を介して交流電源４００から電源電圧が供給されている。第２照明装置１００Ｂは、一対の送り配線３２１，３２２、第１照明装置１００Ａ、及び一対の電線３１１，３１２を介して交流電源４００から電源電圧が供給されている。
【００２０】
点灯回路２は、ダイオードブリッジ回路２１と、点灯電源回路２２とを備えており、交流電源４００から入力される交流電圧を電源電圧として光源１を点灯させる。
【００２１】
ダイオードブリッジ回路２１は、入力側が一対の電源端子１１１，１１２に電気的に接続され、出力側が点灯電源回路２２に電気的に接続されており、一対の電源端子１１１，１１２を介して入力される交流電圧を整流して点灯電源回路２２に出力する。
【００２２】
点灯電源回路２２は、例えば昇圧チョッパ回路、降圧チョッパ回路、あるいはこれらが組み合わされたスイッチング電源回路であり、光源１に直流電流を供給することで光源１を点灯させる。
【００２３】
制御電源回路３は、ダイオードブリッジ回路２１の出力側に電気的に接続されており、制御電圧Ｖｃｃを生成する。
【００２４】
制御部４は、メモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。
【００２５】
制御部４は、点灯回路２を制御することで光源１の点灯状態を制御する。具体的には、制御部４は、点灯電源回路２２のスイッチング素子をスイッチング制御し、点灯電源回路２２が光源１に供給する直流電流の電流量を制御することで、光源１の点灯状態を制御する。また、制御部４は、光源１を消灯状態にする場合、点灯電源回路２２のスイッチング素子のスイッチング動作を停止させ、点灯電源回路２２から光源１への直流電流の供給を停止させる。
【００２６】
一対の信号端子１３１，１３２は、一対の信号線３３１，３３２に電気的に接続されている。すなわち、第１照明装置１００Ａと第２照明装置１００Ｂとは、一対の信号線３３１，３３２を介して互いに電気的に接続されている。照明装置１００は、一対の信号線３３１，３３２を介して、光源１の点灯状態を表す状態信号の送受信を行う。状態信号は、一対の信号線３３１，３３２間に入力される交流電圧を信号媒体とし、状態信号のデータ（光源１の点灯状態）は、交流電圧の導通角で表される。
【００２７】
具体的には、信号端子１３１は、電源端子１１１と電気的に接続され、信号端子１３２は、状態信号を送信する送信部５を介して電源端子１１２と電気的に接続されている。
【００２８】
送信部５は、双方向サイリスタ５１、フォトカプラ５２、抵抗５３，５４，５５、及びコンデンサ５６，５７を備えており、電源端子１１２と信号端子１３２との間に電気的に接続され、状態信号を送信する。具体的には、双方向サイリスタ５１は、電源端子１１２と信号端子１３２との間に直列接続されている。双方向サイリスタ５１の両端間には、抵抗５３、フォトカプラ５２の受光素子５２２（フォトトランジスタ）、抵抗５４の順に直列接続された直列回路が電気的に接続されている。双方向サイリスタ５１のゲートは、抵抗５３と受光素子５２２との接続点に電気的に接続されている。コンデンサ５６は、抵抗５３と並列接続されている。さらに双方向サイリスタ５１の両端間には、抵抗５５とコンデンサ５７の順に直列接続された直列回路が電気的に接続されている。フォトカプラ５２の発光素子５２１（発光ダイオード）は、アノードが制御電源回路３に電気的に接続され、カソードが制御部４に接続されており、制御電圧Ｖｃｃが印加されている。
【００２９】
上記構成により、送信部５は、交流電源４００から一対の信号端子１３１，１３２に入力される交流電圧の導通角を制御、言い換えれば交流電圧を位相制御することで状態信号を生成し、この状態信号を一対の信号線３３１，３３２間に送信する。具体的には、発光素子５２１のオン、オフの時間比が制御部４によって調整されることで、抵抗５３と、抵抗５４及び受光素子５２２との抵抗比、すなわち双方向サイリスタ５１の両端間の電圧に対する双方向サイリスタ５１のゲート電圧の分圧比が調整される。これにより、交流電圧の周期において双方向サイリスタ５１がオンするタイミング、すなわち交流電圧の導通角が調整される。このように、送信部５は、電源端子１１２と信号端子１３２との間に電気的に接続された双方向サイリスタ５１を用いて、交流電源４００から一対の信号端子１３１，１３２に入力される交流電圧の導通角を制御することで状態信号を生成している。そして、送信部５は、生成した状態信号を一対の信号線間３３１，３３２に送信している。状態信号のデータ（光源１の点灯状態）は、一対の信号端子１３１，１３２間（一対の信号線３３１，３３２間）の交流電圧の導通角で表されている。この交流電圧の導通角は、制御部４が、光源１の点灯状態に基づいて発光素子５２１のオン、オフの時間比（デューティ比）を調整することによって調整される。
【００３０】
受信部６は、フォトカプラ６１、抵抗６２，６３，６４、コンデンサ６５，６６、ダイオード６７、及びツェナーダイオード６８を備えており、一対の信号端子１３１，１３２間に電気的に接続され、状態信号を受信する。具体的には、信号端子１３１と信号端子１３２との間に、ダイオード６７、抵抗６２、ツェナーダイオード６８、フォトカプラ６１の発光素子６１１（発光ダイオード）の順に直列接続された直列回路が電気的に接続されている。コンデンサ６５は、発光素子６１１と並列接続されている。フォトカプラ６１の受光素子（フォトトランジスタ）は、コレクタが制御電源回路３に電気的に接続され、エミッタがコンデンサ６６を介して回路グランドに電気的に接続されており、制御電圧Ｖｃｃが印加されている。抵抗６３は、コンデンサ６６と並列接続されている。抵抗６４は、一端がコンデンサ６６と受光素子６１２との接続点に電気的に接続されて、他端が制御部４に電気的に接続されている。
【００３１】
上記構成により、受信部６は、一対の信号線３３１，３３２を介して他の照明装置１００から送信された状態信号を受信する。具体的には、一対の信号端子１３１，１３２に入力される交流電圧の導通区間（双方向サイリスタ５１のオン区間）において、フォトカプラ６１の発光素子６１１が発光して受光素子６１２がオンし、コンデンサ６６の両端間の電圧が上昇する。すなわち、コンデンサ６６の両端間の電圧が、状態信号のデータ（光源１の点灯状態）を表している。制御部４は、コンデンサ６６の両端間の電圧を検出することで、受信部６が受信した状態信号が表す他の照明装置１００の光源１の点灯状態の情報を取得する。具体的には、制御部４は、コンデンサ６６の両端間の電圧をＡ／Ｄ変換し閾値と比較することで、受信部６が受信した状態信号が表す他の照明装置１００の光源１の点灯状態の情報を取得する。ここでいう他の照明装置１００とは、複数の照明装置１００のうち自装置（照明装置１００）とは異なる照明装置１００のことである。例えば第１照明装置１００Ａを自装置とした場合、第２照明装置１００Ｂが他の照明装置となる。
【００３２】
環境検知部７は、人感センサ７１と、明るさセンサ７２とを備えており、照明装置１００の周囲の環境情報を検知する。
【００３３】
人感センサ７１は、人体から放射される赤外線を熱型赤外線検出素子（例えば焦電素子）で感知することによって、検知範囲内における人の存在を検知し、検知結果を環境情報として制御部４に出力する。なお、人感センサ７１は、超音波を送波及び受波することで人の存在を検知するセンサや、撮像素子で撮像される画像を用いて人の存在を検知するセンサなどであってもよい。
【００３４】
明るさセンサ７２は、例えばフォトダイオード、フォトトランジスタ、太陽電池等の光電変換素子を用いて周囲の明るさを検知し、検知結果を環境情報として制御部４に出力する。
【００３５】
制御部４は、人感センサ７１の検知結果、明るさセンサ７２の検知結果、及び他の照明装置１００の光源１の点灯状態に基づいて、点灯回路２を制御する。すなわち、第１照明装置１００Ａの制御部４Ａは、人感センサ７１Ａの検知結果、明るさセンサ７２Ａの検知結果、及び第２照明装置１００Ｂの光源１Ｂの点灯状態に基づいて、点灯回路２Ａを制御する。第２照明装置１００Ｂの制御部４Ｂは、人感センサ７１Ｂの検知結果、明るさセンサ７２Ｂの検知結果、及び第１照明装置１００Ａの光源１Ａの点灯状態に基づいて、点灯回路２Ｂを制御する。
【００３６】
モード切替部８は、抵抗８１とスイッチ８２とを備えており、制御部４の動作モードを切り替える。制御電源回路３と回路グランドとの間に、抵抗８１とスイッチ８２との直列回路が電気的に接続されており、制御電圧Ｖｃｃが印加されている。スイッチ８２は、例えばスライドスイッチで構成されており、操作部が照明装置１００の筐体から露出している。ユーザは、筐体のカバーを取り外すことなく、スイッチ８２の開閉動作を行うことができる。抵抗８１とスイッチ８２との接続点が制御部４に電気的に接続されており、抵抗８１とスイッチ８２との接続点の電圧がモード切替部８の出力となる。モード切替部８の出力は、スイッチ８２の状態に応じて切り替わる。スイッチ８２がオフ状態（第１状態）である場合、モード切替部８の出力（抵抗８１とスイッチ８２との接続点の電圧）が制御電圧Ｖｃｃと略同電位となり、制御部４の動作モードが第１モードとなる。スイッチ８２がオン状態（第２状態）である場合、モード切替部８（抵抗８１とスイッチ８２との接続点の電圧）が回路グランドと同電位となり、制御部４の動作モードが第２モードとなる。
【００３７】
動作モードが第１モードである場合、制御部４は、光源１の点灯状態が定格状態となるように点灯回路２を制御する。定格状態とは、光源１の調光レベルが定格となる点灯状態である。制御部４は、点灯電源回路２２のスイッチング素子のデューティ比を定格値（例えば５０％）に制御することで、点灯電源回路２２が光源１に供給する直流電流量、つまり光源１の調光レベルが定格となるように制御する。
【００３８】
動作モードが第１モードである制御部４は、人感センサ７１の検知結果、明るさセンサ７２の検知結果、及び他の照明装置１００の光源１の点灯状態に基づいて、光源１の点灯状態を定格状態とする。具体的には、制御部４は、明るさセンサ７２の検知結果が明るさ閾値を下回り、かつ人感センサ７１が人の存在を検知した場合、光源１を定格状態で点灯させる。あるいは、制御部４は、受信部６が受信した状態信号に基づいて、他の照明装置１００の光源１の点灯状態が定格状態である場合、光源１を定格状態で点灯させる。すなわち、動作モードが第１モードである制御部４は、照明装置１００の周囲が暗い状態で人が存在する場合、あるいは他の照明装置１００の光源１が定格状態で点灯している場合に、光源１を定格状態で点灯させる。
【００３９】
動作モードが第２モードである場合、制御部４は、光源１の点灯状態が定格状態あるいは調光状態となるように点灯回路２を制御する。調光状態とは、光源１の調光レベルが定格状態よりも低い点灯状態である。制御部４は、点灯電源回路２２のスイッチング素子のデューティ比を制御することで、点灯電源回路２２が光源１に供給する直流電流量、つまり光源１の調光レベルを制御する。本実施形態では、光源１の点灯状態が定格状態であるときの調光レベルを１００％とした場合、光源１の点灯状態が調光状態であるときの調光レベルは３０％であるとする。
【００４０】
動作モードが第２モードである制御部４は、人感センサ７１の検知結果、明るさセンサ７２の検知結果、及び他の照明装置１００の光源１の点灯状態に基づいて、光源１の点灯状態を調光状態とする。具体的には、制御部４は、明るさセンサ７２の検知結果が明るさ閾値を下回った場合、光源１を調光状態で点灯させる。すなわち、動作モードが第２モードである制御部４は、照明装置１００の周囲が暗い場合、光源１を調光状態で点灯させる。
【００４１】
また、動作モードが第２モードである制御部４は、人感センサ７１の検知結果、明るさセンサ７２の検知結果、及び他の照明装置１００の光源１の点灯状態に基づいて、光源１の点灯状態を定格状態とする。具体的には、制御部４は、明るさセンサ７２の検知結果が明るさ閾値を下回り、かつ人感センサ７１が人の存在を検知した場合、光源１を定格状態で点灯させる。あるいは、制御部４は、受信部６が受信した状態信号に基づいて、他の照明装置１００の光源１が定格状態、調光状態に関わらず点灯している場合、光源１を定格状態で点灯させる。すなわち、動作モードが第２モードである制御部４は、照明装置１００の周囲が暗い状態で人が存在する場合、あるいは他の照明装置１００の光源１が点灯している場合に、光源１を定格状態で点灯させる。
【００４２】
また、制御部４は、一対の信号線３３１，３３２間に入力される交流電圧の導通角が、光源１の調光レベルに応じた値となるように、送信部５を制御する。具体的には、制御部４は、光源１の点灯状態が定格状態（調光レベルが１００％）である場合、一対の信号線３３１，３３２間に入力される交流電圧の導通角が１８０度となるように送信部５を制御する。つまり、光源１の点灯状態が定格状態である場合、双方向サイリスタ５１がオン状態に維持され、一対の信号線３３１，３３２間には交流電圧が１周期にわたって入力されることとなる。また、制御部４は、光源１の点灯状態が調光状態（調光レベルが３０％）である場合、一対の信号端子１３１，１３２に入力される交流電圧の導通角が５４度（＝１８０×０．３）となる。このように、光源１が定格状態であるときの調光レベルと調光状態であるときの調光レベルとの比（調光レベル比）は、光源１が定格状態であるときの交流電圧の導通角と調光状態であるときの交流電圧の導通角との比（導通角比）と等しくなる。すなわち、状態信号は、一対の信号線３３１，３３２間に入力される交流電圧の導通角の大きさが光源１の点灯状態（調光レベル）を表している。したがって、他の照明装置１００の点灯状態が調光状態である場合における受信部６のコンデンサ６６の両端間の電圧は、他の照明装置１００の点灯状態が定格状態であるときに比べて３０％程度となる。制御部４は、コンデンサ６６の両端間の電圧を閾値と比較することで、他の照明装置１００の点灯状態が定格状態であるか調光状態であるかを判断することができる。
【００４３】
なお、光源１の点灯状態が調光状態であるときの調光レベルは３０％に限らず、他の数値であってもよい。また、光源１の点灯状態が調光状態であるときの調光レベルが複数段階に調整可能に構成されていてもよい。
【００４４】
＜照明子機の構成例＞
次に、照明子機２００の構成について説明する。照明子機２００は、光源２０１と点灯回路２０２とを備えており、一対の信号線３３１，３３２に電気的に接続されている。
【００４５】
光源２０１は、複数個のＬＥＤが直列接続、並列接続、あるいは直列接続と並列接続とが組み合わされた直並列接続されることで構成されている。点灯回路２０２は、一対の信号線３３１，３３２に電気的に接続されており、一対の信号線３３１，３３２を介して入力される交流電圧を電源電圧として光源２０１に点灯電力を供給する。具体的には、点灯回路２０２は、一対の信号線３３１，３３２を介して入力される交流電圧の導通角を検出し、導通角に応じた点灯電力を光源２０１に供給することで光源２０１を調光制御する。すなわち、点灯回路２０２は、交流電圧の導通角が１８０度である場合、光源２０１を定格状態（調光レベルが１００％）で点灯させ、交流電圧の導通角が５４度である場合、光源２０１を調光状態（調光レベルが３０％）で点灯させる。
【００４６】
なお、本実施形態の照明システム１０では、照明子機２００を１台のみ備えた構成であるが、照明子機２００を複数台備えた構成であってもよい。また、光源２０１は、ＬＥＤに限らず、一対の信号線３３１，３３２間に負荷として電気的に接続される白熱電球であってもよい。
【００４７】
＜照明システムの動作例＞
次に、本実施形態の照明システム１０の動作の一例を説明する。
【００４８】
ここでは、外玄関５０２に設けられた第１照明装置１００Ａのスイッチ８２がオン状態（第２状態）であり、制御部４Ａの動作モードが第２モードであるとする。また、内玄関５０３に設けられた第２照明装置１００Ｂのスイッチ８２がオフ状態（第１状態）であり、制御部４Ｂの動作モードが第１モードであるとする。
【００４９】
まず、第１動作例として、第１照明装置１００Ａ及び第２照明装置１００Ｂの周囲が暗い状態で人が存在しない場合の動作について説明する。
【００５０】
第１照明装置１００Ａの周囲が暗くなると、明るさセンサ７２Ａの検知結果が明るさ閾値を下回り、動作モードが第２モードである制御部４Ａは、光源１Ａを調光状態で点灯させる。また、送信部５Ａは、光源１Ａの点灯状態を表す状態信号を送信する。このとき、光源１Ａの点灯状態が調光状態（調光レベルが３０％）であるので、一対の信号線３３１，３３２間に入力される交流電圧の導通角は５４度（＝１８０×０．３）となる。
【００５１】
第２照明装置１００Ｂは、一対の信号線３３１，３３２を介して第１照明装置１００Ａから状態信号を受信し、第１照明装置１００Ａの光源１Ａの点灯状態の情報を取得する。第１照明装置１００Ａの光源１Ａの点灯状態が調光状態であるので、動作モードが第１モードである制御部４Ｂは、光源１Ｂを点灯させない。
【００５２】
照明子機２００は、一対の信号線３３１，３３２を介して入力される交流電圧の導通角が５４度であるので、点灯回路２０２は、光源２０１を調光状態で点灯させる。
【００５３】
すなわち、第１照明装置１００Ａ及び第２照明装置１００Ｂの周囲が暗い状態で人が存在しない場合、外玄関５０２に設けられた第１照明装置１００Ａの光源１Ａが調光状態で点灯し、内玄関５０３に設けられた第２照明装置１００Ｂの光源１Ｂは点灯しない。また、照明子機２００は、第１照明装置１００Ａと連動し、光源２０１が調光状態で点灯する。
【００５４】
次に、第２動作例として、第１照明装置１００Ａ及び第２照明装置１００Ｂの周囲が暗い状態で、外玄関５０２に人が存在する場合の動作について説明する。
【００５５】
第１照明装置１００Ａの人感センサ７１Ａが人の存在を検知し、制御部４Ａが光源１Ａを定格状態で点灯させる。また、送信部５Ａは、光源１Ａの点灯状態を表す状態信号を送信する。このとき、光源１Ａの点灯状態が定格状態（調光レベルが１００％）であるので、一対の信号線３３１，３３２間に入力される交流電圧の導通角は１８０度となる。
【００５６】
第２照明装置１００Ｂは、一対の信号線３３１，３３２を介して第１照明装置１００Ａから状態信号を受信し、第１照明装置１００Ａの光源１Ａの点灯状態の情報を取得する。第１照明装置１００Ａの光源１Ａの点灯状態が定格状態であるので、制御部４Ｂは、光源１Ｂを定格状態で点灯させる。
【００５７】
照明子機２００は、一対の信号線３３１，３３２を介して入力される交流電圧の導通角が１８０度であるので、点灯回路２０２は、光源２０１を定格状態で点灯させる。
【００５８】
すなわち、第１照明装置１００Ａ及び第２照明装置１００Ｂの周囲が暗く、外玄関５０２に人が存在する場合、外玄関５０２に設けられた第１照明装置１００Ａの光源１Ａと内玄関５０３に設けられた第２照明装置１００Ｂの光源１Ｂとが定格状態で点灯する。また、照明子機２００は、第１照明装置１００Ａ、第２照明装置１００Ｂと連動し、光源２０１が定格状態で点灯する。なお、第１照明装置１００Ａ及び第２照明装置１００Ｂの周囲が暗い状態で、内玄関５０３に人が存在する場合も同様に、第１照明装置１００Ａの光源１Ａ、第２照明装置１００Ｂの光源１Ｂ、及び照明子機２００の光源２０１が定格状態で点灯する。
【００５９】
＜まとめ＞
このように、本実施形態の照明システム１０は、一対の信号線３３１，３３２を介して、光源１の点灯状態を表す状態信号を複数の照明装置１００間で送受信している。状態信号は、一対の信号線３３１，３３２間に入力される交流電圧を信号媒体とし、状態信号のデータである光源１の点灯状態は、一対の信号線３３１，３３２間の交流電圧の導通角で表される。また、一対の信号線３３１，３３２間には交流電圧が入力されているので、この交流電圧を電源電圧として光源２０１を点灯される照明子機２００を一対の信号線３３１，３３２に接続することができる。すなわち、一対の信号線３３１，３３２は、状態信号の伝送路としての機能と、照明子機２００への電源供給路としての機能とを兼用している。したがって、照明子機２００を設ける際における配線本数の増加の抑制が可能となり、さらに照明子機２００の増設も容易となる。また、一対の信号線３３１，３３２間の交流電圧の導通角は、親機である照明装置１００の光源１の点灯状態（調光レベル）を表している。したがって、照明子機２００の光源２０１の点灯状態を、照明装置１００の光源１の点灯状態と容易に連動させることが可能となる。
【００６０】
また、本実施形態の照明装置１００は、上記の照明システム１０に用いられる。したがって、本実施形態の照明装置１００を用いることによって、照明子機２００を設ける際における配線本数の増加の抑制が可能となる。
【００６１】
また、本実施形態の照明システム１０は、複数の照明装置１００として第１照明装置１００Ａと第２照明装置１００Ｂとを備えている。第１照明装置１００Ａの制御部４Ａは、光源１Ａの点灯状態を、調光レベルが定格である定格状態と、定格状態よりも調光レベルが低い調光状態とに制御可能である。第２照明装置１００Ｂの制御部４Ｂは、第１照明装置１００Ａの光源１Ａの点灯状態が定格状態である場合、第２照明装置１００Ｂの光源１Ｂの点灯状態が定格状態となるように点灯回路２Ｂを制御する。また、第２照明装置１００Ｂの制御部４Ｂは、第１照明装置１００Ａの光源１Ａの点灯状態が調光状態である場合、環境検知部７Ｂの検知結果に基づいて点灯回路２Ｂを制御する。
【００６２】
上記構成により、例えば第２照明装置１００Ｂの設置場所では光源１Ｂの調光点灯が不要である場合、第１照明装置１００Ａの光源１Ａの点灯状態に連動して第２照明装置１００Ｂの光源１Ｂの点灯状態が調光状態になることが防止される。これにより、使い勝手の向上を図ることが可能となる。
【００６３】
また、本実施形態の照明システム１０において、第２照明装置１００Ｂは、オフ状態（第１状態）とオン状態（第２状態）とに切替可能なスイッチ８２をさらに有している。第２照明装置１００Ｂの制御部４Ｂは、スイッチ８２がオフ状態、かつ第１照明装置１００Ａの光源１Ａの点灯状態が定格状態である場合、第２照明装置１００Ｂの光源１Ｂの点灯状態が定格状態となるように点灯回路２Ｂを制御する。また、第２照明装置１００Ｂの制御部４Ｂは、スイッチ８２がオフ状態、かつ第１照明装置１００Ａの光源１Ａの点灯状態が調光状態である場合、環境検知部７Ｂの検知結果に基づいて点灯回路２Ｂを制御する。また、第２照明装置１００Ｂの制御部４Ｂは、スイッチ８２がオン状態、かつ第１照明装置１００Ａの光源１Ａが点灯している場合、第２照明装置１００Ｂの光源１Ｂの点灯状態が定格状態となるように点灯回路２Ｂを制御する。
【００６４】
上記構成により、照明装置１００の設置場所に応じて、複数の照明装置１００間における光源１の連動制御の制御内容を設定することが可能となり、使い勝手の向上を図ることが可能となる。
【００６５】
また、本実施形態の照明システム１０において、環境検知部７は、環境情報として検知範囲内における人の存在を検知する人感センサ７１を含む。さらに、環境検知部７は、環境情報として周囲の明るさを検知する明るさセンサ７２を含む。
【００６６】
上記構成により、周囲の明るさ、人の存否に応じて照明装置１００の光源１を点灯させることが可能となり、使い勝手の向上を図ることが可能となる。
【００６７】
また、本実施形態の照明システム１０において、一対の信号線３３１，３３２に電気的に接続される照明子機２００をさらに備えている。照明子機２００は、一対の信号線３３１，３３２を介して入力される交流電圧の導通角に応じた電力を光源２０１に供給して点灯させる。
【００６８】
一対の信号線３３１，３３２は、状態信号の伝送路としての機能と、照明子機２００への電源供給路としての機能を兼用しているので、照明子機２００を設けることによる配線本数の増加が抑制される。また、一対の信号線３３１，３３２間の交流電圧の導通角は、親機である照明装置１００の光源１の点灯状態（調光レベル）を表している。したがって、照明子機２００の光源２０１の点灯状態を、照明装置１００の光源１の点灯状態に合わせて変化させることが可能となる。
【００６９】
なお、本実施形態の照明システム１０では、２台の照明装置１００を備えているが、送り配線によって接続された３台以上の照明装置１００を備えた構成であってもよい。また、照明装置１００の設置場所は、外玄関５０２、内玄関５０３に限らず、他の場所に設けられていてもよい。
【００７０】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００７１】
１  光源
２  点灯回路
４  制御部
５  送信部
６  受信部
７  環境検知部
７１  人感センサ
７２  明るさセンサ
８２  スイッチ
１０  照明システム
１００  照明装置
１００Ａ  第１照明装置
１００Ｂ  第２照明装置
２００  照明子機
３３１，３３２  信号線
４００  交流電源
【図１】
2017091843.tif 000003
【図２】
2017091843.tif 000004